(57)【特許請求の範囲】
【請求項１】
表地と裏地の周囲を縫い合わせて袋状とし、該袋の内部をまちテープで複数の小袋に仕切り、各小袋に羽毛を充填した羽毛布団であって；
前記裏地の巾寸法が、前記表地の巾寸法より１０〜２０％大きく、
前記表地と裏地の外縁の縫い目において、前記裏地にタック又はギャザー等の寸法縮減処置を施して縫い合わせてあり、
前記まちテープは、十分な伸縮性を有する布地で作製されており、前記まちテープと前記裏地の分割区域の各辺との間は、該まちテープの裏地側の辺を引っ張って伸ばした状態で縫い合わせていることを特徴とする羽毛布団。
【請求項２】
前記裏地の丈寸法も、前記表地の丈寸法より１０〜２０％大きいことを特徴とする請求項１記載の羽毛布団。
【請求項３】
表地、中地及び裏地の周囲を縫い合わせて二層の袋状とし、該袋の内部をまちテープで複数の小袋に仕切り、各小袋に羽毛を充填した二層構造の羽毛布団であって；
前記裏地の寸法が、前記表地又は中地の巾寸法より１０〜２０％大きく、
前記表地又は中地と前記裏地の外縁の縫い目において、前記裏地にタック又はギャザー等の寸法縮減処置を施して縫い合わせてあり、
前記まちテープは、十分な伸縮性を有する布地で作製されており、前記まちテープと前記中地又は裏地の分割区域の各辺との間は、該まちテープの中地又は裏地側の辺を引っ張って伸ばした状態で縫い合わせていることを特徴とする羽毛布団。
【請求項４】
前記裏地の丈寸法も、前記表地又は中地の丈寸法より１０〜２０％大きいことを特徴とする請求項３記載の羽毛布団。
【発明の詳細な説明】
【０００１】
【発明の属する技術分野】
本発明は、分割した複数の小袋の中に羽毛を充填した羽毛布団に関する。特には、身体へのフィット性や保温性を向上させた羽毛布団に関する。
【０００２】
【従来の技術】
羽毛布団は、布団袋内を巾方向及び丈方向に複数に分割して、分割部において表地と裏地をまちテープで仕切って複数の小袋を形成し、その中に適当な量の羽毛を充填したものである。
なお、表地と裏地の間に中地を入れて、表地と中地との間及び中地と裏地との間に子袋を形成した二層構造のものもある。
【０００３】
このような羽毛布団においては、身体へのフィット性や保温性を向上させるために、様々な提案がなされている。例として、表地の巾寸法を裏地の巾寸法よりも大きくして、布団全体を裏地側、すなわち、身体側へ巻き込ませて、布団裏地と身体との密着性を向上させようとするものがある。
特公平２−６０３２１号では、表地の巾寸法を裏地の巾寸法よりも広くし、まちテープに相当する仕切布の形状も、上辺を突弧状とし、下辺を直線状としている。そして、表地を裏地よりも大きく膨出させるように羽毛を充填し、布団全体を裏地側に巻き込んで、身体を包み込ませようとしている。
また、実用新案登録番号第３０１７９３８号では、表地と中地の巾寸法が裏地の巾寸法よりも大きい二層構造の羽毛布団が開示されている。この羽毛布団においては、フラットな裏地に対して巾広の表地及び中地が上向きの凸状となり、使用時には、身体の両側を包むようになる。
【０００４】
【発明が解決しようとする課題】
しかしながら、上述のような方法によっても、現在のところ十分な密着性やフィット感が得られない。
【０００５】
本発明はこのような問題点に鑑みてなされたものであって、密着性やフィット感を向上させるための改良を加えた羽毛布団を提供することを目的とする。
【０００６】
【課題を解決するための手段】
上記課題を解決するため、本発明の第１の羽毛布団は、  表地と裏地の周囲を縫い合わせて袋状とし、該袋の内部をまちテープで複数の小袋に仕切り、各小袋に羽毛を充填した羽毛布団であって；  前記裏地の巾寸法が、前記表地の巾寸法より１０〜２０％大きく、前記表地と裏地の外縁の縫い目において、前記裏地にタック又はギャザー等の寸法縮減処置を施して縫い合わせてあり、前記まちテープは、十分な伸縮性を有する布地で作製されており、前記まちテープと前記裏地の分割区域の各辺との間は、該まちテープの裏地側の辺を引っ張って伸ばした状態で縫い合わせていることを特徴とする。
本発明では、上述の従来例で示した羽毛布団とは逆に、裏地の巾寸法を表地の巾寸法よりも大きくした。このような構造により、比較的フラットな表地に対して、裏地は凸状となってだぶつくことになる。そしてこのだぶついた分が身体にフィットするため、密着性及び保温性が向上する。
【０００７】
本発明においては、  前記裏地の丈寸法も、前記表地の丈寸法より１０〜２０％大きいこととすると、布団の巾方向及び丈方向でだぶつくため、より密着性及び保温性が向上する。
【０００８】
本発明の第２の羽毛布団は、  表地、中地及び裏地の周囲を縫い合わせて二層の袋状とし、該袋の内部をまちテープで複数の小袋に仕切り、各小袋に羽毛を充填した二層構造の羽毛布団であって；  前記裏地の寸法が、前記表地又は中地の巾寸法より１０〜２０％大きく、  前記表地又は中地と前記裏地の外縁の縫い目において、前記裏地にタック又はギャザー等の寸法縮減処置を施して縫い合わせてあり、前記まちテープは、十分な伸縮性を有する布地で作製されており、前記まちテープと前記中地又は裏地の分割区域の各辺との間は、該まちテープの中地又は裏地側の辺を引っ張って伸ばした状態で縫い合わせていることを特徴とする。
本発明においては、  前記裏地の丈寸法も、前記表地又は中地の丈寸法より１０〜２０％大きいこととしてもよい。
【０００９】
【発明の実施の形態】
以下、図面を参照しつつ説明する。
図１は、本発明の第１の実施の形態に係る羽毛布団の正面断面図である。
図２（Ａ）は図１の羽毛布団の表地と裏地の正面図であり、図２（Ｂ）は平面図である。
羽毛布団１は、表地３と裏地５の周囲を縫い合わせて袋状としたものである。袋の内部は複数のまちテープ７で仕切られて複数の小袋９が形成されている。小袋９の中には、適当な量の羽毛が充填される。表地３と裏地５は綿や絹交等の布地であり、まちテープ７はポリエステルメッシュ等の布地である。
【００１０】
図２に示すように、裏地５の巾方向及び丈方向の寸法は、表地３の各々の寸法より大きい。裏地５の巾及び丈は表地３の巾及び丈より１０〜２０％大きく、一例として、裏地の巾は１８５ｃｍ、丈は２４０ｃｍ、表地の巾は１５５ｃｍ、丈は２２０ｃｍである。まちテープ７の高さは５ｃｍである。
【００１１】
この例では、表地３の巾及び丈を均等に４分割している（丈方向に延びる３本の分割線をＤ１とし、巾方向に延びる３本の分割線をＤ２とする）。その結果、表地３に、等しい大きさの１６個の分割区域Ｓ３を形成している。また、裏地５の巾及び丈も均等に４分割している（丈方向に延びる３本の分割線をＤ３とし、巾方向に延びる３本の分割線をＤ４とする）。その結果、裏地５にも、等しい大きさの１６個の分割区域Ｓ５を形成している。
上述のように、表地３と裏地５の寸法が異なるため、表地３の分割区域Ｓ１の面積は、裏地５の分割区域Ｓ５の面積より小さい。
【００１２】
そして、各分割線においてまちテープ７によって表地３と裏地５を接続して、羽毛布団の巾方向に４列、丈方向に４列の計１６個の小袋９を形成している。しかし、このときに表地３と裏地５の寸法が異なるため、このままの状態では表地３と裏地５の外縁を縫い合わせて袋状とすることができない。このため、以下に説明するように、寸法の大きい裏地５の外縁を寸法調整して表地３の寸法に合わせている。
【００１３】
この例では、図２（Ｂ）に示すように、裏地５の外縁上の丈方向分割線Ｄ３の両端部にタック１１をとって裏地５の巾方向寸法調整を行っている。丈方向にも、裏地５の外縁上の巾方向分割線Ｄ４の両端部にタックを取って寸法調整を行っている。
【００１４】
図３は、裏地の寸法調整部を模式的に示す説明する斜視図である。
巾方向においては、裏地５の各丈方向分割線Ｄ３の両端部において、分割区域Ｓ５の巾方向長さＷ５と表地分割区域Ｓ３の巾方向長さＷ３との差の半分の長さ△Ｗを、分割線Ｄ３を中心にして両側から折り込んでタック１１を形成する。なお、裏地５の四隅ではタックを形成せず、ところどころに小さいタックをつけて表地３の寸法に合わせている。これにより、裏地の分割区域Ｓ５の外縁側の丈方向長さを、表地の分割区域Ｓ３の丈方向長さに一致させている。
丈方向においても、同様にして裏地５と表地３の寸法を合わせている。これにより、裏地の分割区域Ｓ５の外縁側の巾方向長さを、表地の分割区域Ｓ３の丈方向長さに一致させている。
【００１５】
これにより、裏地５の外縁の長さと表地３の外縁の長さは等しくなり、両地の端を縫い合わせて袋状とすることができる。タック１１は、図３に示すように三角形で、一例で、重なり部の巾△Ｗは３ｃｍ、長さＬは１０ｃｍである。タック１１は、布団の内側に突き出るように形成される。
【００１６】
なお、上述のようにタック１１を形成して長さを一致させた外周辺以外の部分では、裏地の分割区域Ｓ５の各辺の長さが表地の分割区域Ｓ３の各辺の長さより長くなっている。そこで、まちテープ７の下側（裏地側）の辺を引っ張って伸ばした状態で、裏地の分割区域Ｓ５の各辺と縫い合わせている。まちテープ７は、上述のようにポリエステルのメッシュ等で作製されているため、十分な伸縮性を有する。
【００１７】
上述のように、外縁以外では、裏地の分割区域Ｓ５の各辺の長さが表地の分割区域Ｓ３の各辺の長さが長いため、裏地の各分割区域Ｓ５の面積は表地の各分割区域Ｓ３の面積より大きい。このため、図１に示すように、表地３と裏地５及びまちテープ７で形成される小袋９は、表地３が比較的フラットで、裏地５が裏側へ丈方向及び巾方向に凸の形状となる。この形状により、羽毛布団の裏側、すなわち、身体に当てられる面では裏地５がだぶついており、だぶついた分の裏地を身体にフィットさせることで、密着性とフィット感を得られる。
なお、この例においては、裏地の巾方向及び丈方向の両方の寸法を表地の寸法より大きくしたが、巾方向のみを大きくしてもそれなりに良好な効果を得ることができる。
【００１８】
また、この例においては、表地３は均等に分割されており、各分割区域Ｓ３の大きさは同じであり、裏地５も同様である。しかし、布団の中央付近の分割区域の大きさを他の分割区域より大きくしたり、逆に小さくしてもよい。
【００１９】
図４は、本発明の第２の実施の形態に係る羽毛布団の構造を説明する図であり、図４（Ａ）は正面断面図、図４（Ｂ）は正面分解図である。
この例の羽毛布団２１は、表地２３と裏地２５と、両者の間に配置された中地２７を有する。これにより表地２３と中地２７の間に表層小袋３１を形成し、中地２７と裏地２５の間に裏層小袋３３を形成している。そして、表地２３と中地２７の寸法は等しく、裏地２５は中地２３及び表地２７よりも丈方向及び巾方向の寸法が大きい。
【００２０】
図４（Ｂ）に示すように、表地２３と中地２７は３本の丈方向分割線Ｄ１、Ｄ３（Ｄ５）で均等に分割されている。また、裏地２５も、３本の丈方向分割線ＤＤ７で均等に分割されている。ここで、表地２３と中地２７の分割区域の面積は同じであり、裏地２５の分割区域の面積は表地２３や中地２７の分割区域の面積より大きい。また、各地に形成された分割区域の個数は等しい。
【００２１】
そして、表地２３と中地２７表側の各分割区域を分割線においてまちテープ２９で接続して、複数の小袋からなる表層小袋３１を形成する。また、中地２７裏側と裏地２５の各分割区域を、図１の羽毛布団と同様の方法でまちテープ３０で接続して、裏地がだぶついた小袋からなる裏層小袋３３を形成する。表層３１の小袋の数と裏層３３の小袋の数は等しく、各層において小袋の位置は高さ方向に重なっている。
このように、二層構造の羽毛布団においても、裏地の寸法を大きくしてだぶつかせることにより、より密着性とフィット感を向上させた羽毛布団を提供できる。
【００２２】
図５は、本発明の第３の実施の形態に係る羽毛布団の構造を説明する図であり、図５（Ａ）は正面断面図、図５（Ｂ）は正面分解図である。
図６は、図５の羽毛布団の構造を説明する図であり、図６（Ａ）は側面断面図、図６（Ｂ）は側面分解図である。
この例の羽毛布団４１も、表地４３と裏地４５と、両者の間に配置された中地４７を有する。そして、表地４３と中地４７の間に表層小袋５１を形成し、中地４７と裏地５５の間に裏層小袋５３を形成している。また、表地４３と中地４７の寸法は等しく、裏地４５は中地４３及び表地４７よりも丈方向及び巾方向の寸法が大きい。
【００２３】
図５（Ｂ）、図６（Ｂ）に示すように、表地４３と中地４７の表側は、３本の丈方向分割線Ｄ１とＤ３、３本の巾方向分割線Ｄ２とＤ４で均等に分割されて、１６個の分割区域を形成している。
また、中地４７の裏側は、２本の丈方向分割線Ｄ５と４本の巾方向分割線Ｄ６で均等に分割されて、１５個の分割区域を形成している。裏地４５は、２本の丈方向分割線Ｄ７と４本の巾方向分割線Ｄ８で均等に分割されて、１５個の分割区域を形成する。裏地４５の分割区域の大きさは、中地４７裏側の分割区域の大きさより大きい。
【００２４】
そして、表地４３と中地４７の各分割区域を分割線においてまちテープ４９で接続して、１６個の小袋からなる表層小袋５１を形成する。また、中地４７と裏地４５の各分割区域を、図１の羽毛布団と同様の方法でまちテープ５０で接続して、１５個の裏地がだぶついた小袋からなる裏層小袋５３を形成する。
【００２５】
この例においては、表層小袋５１に入れる羽毛の量は裏層小袋５３に入れる羽毛の量より少なくすることが好ましい。一例で、表層の羽毛の量は全体の１／３、裏層の羽毛の量は全体の２／３である。
【００２６】
このように、表層小袋５１と裏層小袋５３の小袋の数を変えたことにより、小袋分割部、すなわち、まちテープの位置が表層と裏層で異なるため、一方の層で羽毛の量が少なくなるまちテープの部分を、他方の層で補い、布団全体の羽毛充填率を一定にすることができる。また、裏層小袋５３の羽毛の量を表層小袋５１より多くすることによって、身体にフィットし、外気が入り込みにくくなる。
【００２７】
【発明の効果】
以上の説明から明らかなように、本発明によれば、裏地の寸法を表地の寸法よりも大きくして裏地をだぶつかせることによって、身体への密着性やフィット感を高めた羽毛布団を提供できる。
【図面の簡単な説明】
【図１】本発明の第１の実施の形態に係る羽毛布団の正面断面図である。
【図２】図２（Ａ）は図１の羽毛布団の表地と裏地の正面図であり、図２（Ｂ）は平面図である。
【図３】裏地の寸法調整部を模式的に示す説明する斜視図である。
【図４】本発明の第２の実施の形態に係る羽毛布団の構造を説明する図であり、図４（Ａ）は正面断面図、図４（Ｂ）は正面分解図である。
【図５】本発明の第３の実施の形態に係る羽毛布団の構造を説明する図であり、図５（Ａ）は正面断面図、図５（Ｂ）は正面分解図である。
【図６】図５の羽毛布団の構造を説明する図であり、図６（Ａ）は側面断面図、図６（Ｂ）は側面分解図である。
【符号の説明】
１  羽毛布団                      ３  表地
５  裏地                          ７  まちテープ
９  小袋                        １１  タック
２１  羽毛布団                    ２３  表地
２５  裏地                        ２７  中地
２９  まちテープ                  ３１  表層小袋
３３  裏層小袋                    ４１  羽毛布団
４３  表地                        ４５  裏地
４７  中地                        ４９  まちテープ
５１  表層小袋                    ５３  裏層小袋
【図１】
0003768906.tif 000002
【図２】
0003768906.tif 000003
【図３】
0003768906.tif 000004
【図４】
0003768906.tif 000005
【図５】
0003768906.tif 000006
【図６】
0003768906.tif 000007